(57)【要約】【課題】インターネット広告の原稿規定情報に対して広告代理店、メディアレップ、媒体社、広告制作会社がディスカッションした結果を規定情報とすることができると共に、広告がどんな内容かを知らせ、この結果から最適な入稿原稿を媒体社に提供できるインターネット広告提供システムを得る。【解決手段】媒体社１は、上記広告規定情報データベース９に原稿規定情報を登録し、広告スペース一括販売を行うメディアレップに申請する。メディアレップ２は、広告原稿を作成する広告制作会社３が問題なく制作業務が出来るよう、また広告提供企業に対し広告企画・販売を行う広告代理店４が該当広告の固定的情報および動作情報を正しく伝えることが出来るよう、媒体社１が登録申請した原稿規定情報を広告規定情報データベース９にアクセスして確認し、承認する。のデータベース９に登録された情報は、広告代理店４、広告制作会社３、メディアレップ２に公開する。【選択図】図１
2007149086.tif 000002
【特許請求の範囲】
【請求項１】
インターネット広告の枠を販売する複数の媒体社の装置と、前記インターネット広告を制作する広告制作会社の装置と、広告代理店の装置と、前記媒体社からのインターネット広告の枠を一括管理して販売するメディアレップの装置と、各種データを保存して前記各装置に提供するデータベース管理会社の装置とを通信ネットワークで接続したインターネット広告提供システムにおいて、
前記メディアレップの装置は、
前記媒体社の装置に対して、前記インターネット広告の枠の固定規定情報及び動画の規定情報を入力する先の規定情報入力場所アドレスを前記通信ネットワークを介して送信する手段を備え、
前記媒体社の装置は、
前記データベース管理会社の装置にアクセスして前記規定情報入力場所アドレス先にアクセスして、ブラウザ機能で解読した規定情報登録申請画面を表示する手段と、
前記データベース管理会社の装置からの前記規定情報登録申請画面に入力された規定情報申請データに対しての意見データを受信して前記ブラウザ機能で解読して表示する手段と、
前記規定情報登録申請画面に入力された前記固定規定情報と前記動画の規定情報とからなる規定情報登録申請データを前記データベース管理会社の装置の前記規定情報入力場所アドレス先に送信する手段とを備え、
前記データベース管理会社の装置は、
前記媒体社の装置からの前記規定情報登録申請データが記憶される広告規定情報用データベースと、
前記媒体社の装置、前記メディアレップの装置からの意見を書き込むための意見用領域
書き込むための回答用領域が形成されるディスカッション用データベースと、
前記媒体社の装置から前記規定情報登録申請データを受信したとき、前記広告規定情報用データベースに前記規定情報登録申請データに含まれている前記インターネット広告のメニュー名とサイト名と前記インターネット広告を扱う前記メディアレップ名とを識別情報とし、該識別情報に紐付けて広告規定情報用データベースに前記受信した前記規定情報登録申請データを登録する手段と、
前記規定情報登録申請用データを前記広告規定情報用データベースに登録したとき、前記ディスカッションデータベースに前記識別情報に紐付けた前記意見用領域を形成する手段と、
前記意見用領域の意見データが前記メディアレップの装置又は前記媒体社の装置によって書き込まれたかどうかを判定し、前記メディアレップの装置によって書き込まれたときは、前記媒体社の装置からのアクセスによって前記意見用領域の意見データを送信し、又は前記媒体社によって書き込まれたときは前記メディアレップの装置からのアクセスによって、その装置に送信させる手段
とを有することを特徴とするインターネット広告提供システム。
【請求項２】
前記データベース管理会社の装置は、
前記メディアレップの装置から前記広告規定情報用データベースに対してアクセスがあったとき、前記規定情報登録申請データの前記固定規定情報と動画の規定情報とを一組にして送信して前記メディアレップの装置に同じに表示させる手段とを有することを特徴とする請求項１記載のインターネット広告提供システム。
【請求項３】
インターネット広告の枠を販売する複数の媒体社の装置と、前記インターネット広告を制作する広告制作会社の装置と、広告代理店の装置と、前記媒体社からのインターネット広告の枠を一括管理して販売するメディアレップの装置と、各種データを保存して前記各装置に提供するデータベース管理会社の装置とを通信ネットワークで接続して、前記媒体社の装置が前記データベース管理会社の装置にインターネット広告の枠の固定規定情報及び動画の規定情報を登録し、前記広告制作会社の装置がこれらの規定情報に対して反映された前記データベース管理会社のデータベースに記憶された意見を参照して広告原稿入稿データを作成して前記広告代理店の装置に送信し、広告代理店の装置はメディアレップの装置に送信し、前記メディアレップの装置は前記媒体社の装置に送信することで前記広告原稿入稿を行うインターネット広告提供システムであって、
前記メディアレップの装置は、
アクセスがあった前記広告制作会社の装置又は前記広告代理店の装置に対して広告原稿入稿データを入力する入力先アドレスを前記通信ネットワークを介して送信する手段と、
前記広告制作会社、広告代理店、メディアレップのそれぞれの装置又はいずれかの装置が、前記インターネット広告の前記固定規定情報及び前記動画の規定情報を検証するための解析ツールを備え、
該解析ツールは、
前記入力先アドレスに解析するための前記インターネット広告の素材が書き込まれたとき、該素材の固定的な規定情報を解析し、該解析結果と前記固定情報とを一組にして画面に表示する手段と、
前記素材の動きに対しての検証指示があったとき、前記素材のプログラムをタグ別に分離し、該分離したタグの情報を前記動画の規定情報に基づいて解析する手段と、該解析した結果と前記動画の規定情報とを一組にして画面に表示する手段
とを有することを特徴とするインターネット広告提供システム。
【請求項４】
前記動画の規定情報は、動画の容量、音の有無、背景、動きの有無を示す情報であることを特徴とする請求項３記載のインターネット広告提供システム。
【請求項５】
前記メディアレップの装置は、
前記媒体社の装置に対して、前記インターネット広告の枠の固定規定情報及び動画の規定情報を入力する先の規定情報入力場所アドレスを前記通信ネットワークを介して送信する手段を備え、
前記媒体社の装置は、
前記メディアレップの装置にアクセスして前記規定情報入力場所アドレス先にアクセスして、ブラウザ機能で解読した規定情報登録申請画面を表示する手段と、
前記データベース管理会社の装置からの前記規定情報登録申請画面に入力された規定情報申請データに対しての意見データを受信して前記ブラウザ機能で解読して表示する手段と、
前記規定情報登録申請画面に入力された前記固定規定情報と前記動画の規定情報とからなる規定情報登録申請データを前記データベース管理会社の装置の前記規定情報入力場所アドレス先に送信する手段とを備え、
前記データベース管理会社の装置は、
前記媒体社の装置からの前記規定情報登録申請データが記憶される広告規定情報用データベースと、
前記媒体社の装置、前記メディアレップの装置からの意見を書き込むための意見用領域と、前記意見に対する回答を書き込むための回答用領域が形成されるディスカッション用データベースと、
前記媒体社の装置から前記規定情報登録申請データを受信したとき、前記広告規定情報用データベースに前記規定情報登録申請データに含まれている前記インターネット広告のメニュー名とサイト名と前記インターネット広告を扱う前記メディアレップ名とを識別情報とし、該識別情報に紐付けて広告規定情報用データベースに前記受信した前記規定情報登録申請データを登録する手段と、
前記規定情報登録申請用データを前記広告規定情報用データベースに登録したとき、前記ディスカッションデータベースに前記識別情報に紐付けた前記意見用領域を形成する手段と、
前記意見用領域の意見データが前記メディアレップの装置又は前記媒体社の装置によって書き込まれたかどうかを判定し、前記メディアレップの装置によって書き込まれたときは、前記媒体社の装置からのアクセスによって前記意見用領域の意見データを送信し、又は前記媒体社によって書き込まれたときは前記メディアレップの装置からのアクセスによって、その装置に送信させる手段
とを有することを特徴とする請求項３記載のインターネット広告提供システム。
【発明の詳細な説明】
【技術分野】
【０００１】
本発明は、広告代理店、メディアレップ、媒体社、広告制作会社がディスカッションした結果を規定情報とすることができると共に、広告がどんな内容かを知らせ、この結果から最適な入稿原稿を媒体社に提供できるインターネット広告提供システムに関する。
【背景技術】
【０００２】
一般にインターネット広告は、広告主から依頼された商品を広告にさせる代理店サーバと、インターネット広告枠を販売する媒体社と、広告を制作する広告制作会社のサーバと、メディアレップのサーバと、各種データをデータベースに保存してこれらのデータを管理するデータベース管理会社のサーバ等からなるシステムによって、ユーザに対してインターネット広告を提供することが可能となる。
【０００３】
すなわち、媒体社のサーバは広告のＷｅｂページの規定情報（サイズ、容量、メニュー・・・）をデータベース管理会社のサーバに登録申請し、問屋であるメディアレップがこの申請内容をチェックして承認し、これをデータベース管理会社に登録させる。
【０００４】
広告制作会社は、データベース管理会社のデータベースに登録された申請内容に基づく広告を制作して、広告代理店に入稿する。広告代理店はこの入稿情報を確認してメディアレップに入稿する。メディアレップは、広告代理店からの入稿情報をチェックして広告枠を提供した媒体社に入稿するという流れである。
【０００５】
一方、インターネット広告は、パーソナルコンピュータで動作するウェブブラウザ上に表示されるという性質をもつために、他の媒体での広告とは違い、広告が閲覧者の操作に応じて広告が表示される大きさや動作が変化するという特質を持つ。
【０００６】
すなわち、インターネット広告は閲覧者の意思に応じてより多くの情報提供を行うことができる一方、広告のサイズ・容量・掲載期間・表示位置・音など固定的情報だけでは広告原稿の内容を制御することができない。
【０００７】
従って、インターネット広告を掲載する媒体社や広告を提供する企業にとって、広告自体の動作や振る舞いなどの動作情報を規定し、かつ作成された広告原稿が規定に合致しているかを解析・検証する仕組みと、これに連動した原稿入稿の仕組みが必要となっている。
【特許文献１】特開２００２−７１０６号公報
【特許文献２】特開２００１−３０６９１９号公報
【発明の開示】
【発明が解決しようとする課題】
【０００８】
しかしながら、インターネット広告は、様々なユーザが見ることから、より多くの意見が反映されたインターネット広告の規定情報（原稿規定情報ともいう）がよい。
【０００９】
ところが、上記の方法は、広告自体の動作情報を規定したとしても、その規定はデータベース管理会社側一社者で規定するものであるからより多くの意見が反映されたインターネット広告とはならないという課題があった。
【００１０】
また、広告のサイズ・容量・掲載期間・表示位置・音など固定的情報だけでは広告原稿の内容を制御することができない。例えば、バナー広告は、動いたり、拡大したりする。すなわち、バナー広告がどのような動画（サイズ、音、動く）かを、広告制作会社、媒体社、代理店側、メディアレップの担当者に自動的に確認させた後に入稿ができるようなシステムが望ましいという課題があった。
【００１１】
本発明は以上の課題を解決するためになされたもので、インターネット広告の原稿規定情報に対して広告代理店、メディアレップ、媒体社、広告制作会社がディスカッションした結果を規定情報とすることができると共に、広告がどんな内容かを知らせ、この結果から最適な入稿原稿を媒体社に提供できるインターネット広告提供システムを得ることを目的とする。
【課題を解決するための手段】
【００１２】
本発明は、インターネット広告の枠を販売する複数の媒体社の装置と、インターネット広告を制作する広告制作会社の装置と、広告代理店の装置と、媒体社からのインターネット広告の枠を一括管理して販売するメディアレップの装置と、各種データを保存して各装置に提供するデータベース管理会社の装置とを通信ネットワークで接続したインターネット広告提供システムにおいて、
メディアレップの装置は、媒体社の装置に対して、インターネット広告の枠の固定規定情報及び動画の規定情報を入力する先の規定情報入力場所アドレスを通信ネットワークを介して送信する手段を備える。
【００１３】
媒体社の装置は、データベース管理会社の装置の規定情報入力場所アドレス先にアクセスして、ブラウザ機能で解読した規定情報登録申請画面を表示する手段と、データベース管理会社の装置からの規定情報登録申請画面に入力された規定情報申請データに対しての意見データを受信してブラウザ機能で解読して表示する手段と、規定情報登録申請画面に入力された固定規定情報と動画の規定情報とからなる規定情報登録申請データをデータベース管理会社の装置の規定情報入力場所アドレス先に送信する手段とを備える。
【００１４】
データベース管理会社の装置は、媒体社の装置からの規定情報登録申請データが記憶される広告規定情報用データベースと、媒体社の装置、メディアレップの装置からの意見を書き込むための意見用領域と、意見に対する回答を書き込むための回答用領域が形成されるディスカッション用データベースと、媒体社の装置から規定情報登録申請データを受信したとき、広告規定情報用データベースに規定情報登録申請データに含まれているインターネット広告のメニュー名とサイト名とインターネット広告を扱うメディアレップ名とを識別情報とし、該識別情報に紐付けて広告規定情報用データベースに受信した規定情報登録申請データを登録する手段と、規定情報登録申請用データを広告規定情報用データベースに登録したとき、ディスカッションデータベースに識別情報に紐付けた意見用領域を形成する手段と、意見用領域の意見データがメディアレップの装置又は媒体社の装置によって書き込まれたかどうかを判定し、メディアレップの装置によって書き込まれたときは、媒体社の装置からのアクセスによって意見用領域の意見データを送信し、又は媒体社によって書き込まれたときはメディアレップの装置からのアクセスによって、その装置に送信させる手段とを有することを要旨とする。
【００１５】
また、インターネット広告の枠を販売する複数の媒体社の装置と、インターネット広告を制作する広告制作会社の装置と、広告代理店の装置と、媒体社からのインターネット広告の枠を一括管理して販売するメディアレップの装置と、各種データを保存して前記各装置に提供するデータベース管理会社の装置とを通信ネットワークで接続して、媒体社の装置が前記データベース管理会社の装置にインターネット広告の枠の固定規定情報及び動画の規定情報を登録し、広告制作会社の装置がこれらの規定情報に対して反映された前記データベース管理会社のデータベースに記憶された意見を参照して広告原稿入稿データを作成して広告代理店の装置に送信し、広告代理店の装置はメディアレップの装置に送信し、メディアレップの装置は媒体社の装置に送信することで広告原稿入稿を行うインターネット広告提供システムであることを要旨とする。
【００１６】
そして、メディアレップの装置は、アクセスがあった広告制作会社の装置、媒体社の装置又は広告代理店の装置に対して広告原稿入稿データを入力するための入力先アドレスを通信ネットワークを介して送信する手段と、広告制作会社、広告代理店、メディアレップ、媒体社のそれぞれの装置又はいずれかの装置が、記インターネット広告の固定規定情報及び動画の規定情報を検証するための解析ツールを備える。
【００１７】
該解析ツールは、入力先アドレスに解析するためのインターネット広告の素材が書き込まれたとき、該素材の固定的な規定情報を解析し、該解析結果と固定情報とを一組にして画面に表示する手段と、素材の動きに対しての検証指示があったとき、素材のプログラムをタグ別に分離し、該分離したタグの情報を動画の規定情報に基づいて解析する手段と、該解析した結果と動画の規定情報とを一組にして画面に表示する手段とを備えることを要旨とする。
【発明の効果】
【００１８】
本発明によれば、インターネット広告の原稿規定情報に対して広告代理店、メディアレップ、媒体社、広告制作会社がディスカッションした結果を規定情報とすることができる。
【００１９】
また、広告がどんな内容かを知らせ、この結果から最適な入稿原稿を媒体社に提供できるので、広告を掲載する媒体社と広告を提供する企業が安心して利用できる。
【発明を実施するための最良の形態】
【００２０】
図１は本実施の形態のインターネット広告提供システムの概略構成図である。図１に示すように、インターネット広告提供システムは、媒体社の装置１ａ、・・、１ｎ（サーバ、パソコン等からなる；図示せず）と、メディアレップの装置２（サーバ２０、パソコン２１等からなる）と、広告制作会社の装置３（サーバ、パソコン等からなる；図示せず）と、広告代理店の装置４（サーバ、パソコン等からなる；図示せず）と、データベース管理会社の装置５（サーバ、パソコン等からなる；図示せず）とを通信ネットワーク６（インターネット）に接続したシステムである。
【００２１】
媒体社の装置１ａ、・・、１ｎは、Ｗｅｂページの広告枠を販売するものであり、パソコンはブラウザ機能、Ｅメール機能等を備え、画面に入力された広告の原稿規定情報（サイト名、カテゴリ、媒体社名、枠数、掲載場所特記、料金、サイズ、容量、動画のサイズ、容量等）をデータベース管理会社の装置５に送信（規定情報登録申請データともいう）する。
【００２２】
また、データベース管理会社のディスカッションデータベース７の掲示板にアクセスし、広告に対しての意見交換を参照又はデータベース管理会社５のディスカッションデータベースに意見を書き込みさせる。媒体社の担当社は、掲示板の意見を参照して原稿規定情報を変更する場合もある。
【００２３】
メディアレップ（媒体社の広告スペース販売を代行する企業体の総称）の装置２は、パソコン２１がブラウザ機能、Ｅメール機能等を備え、データベース管理会社の装置５の広告規定情報データベース９に保存されている媒体社からの規定情報登録申請データを読み出し、これを画面に表示させる。そして、仕入れ担当者が承認（必要に応じて変更）し、これをデータベース管理会社の装置５の広告規定情報データベース９に登録する。
【００２４】
また、メディアレップの装置２は、データベース管理会社のディスカッションデータベース７に生成された掲示板の質問のデータ、意見のデータを読み出して画面に表示し、担当者が回答を書き込みと、この回答のデータを登録する機能を有する。
【００２５】
データベース管理会社の装置５は、パソコンがブラウザ機能、Ｅメール機能等を備え、媒体社の装置１に対して原稿規定情報を入力させるための画面を提供し、この画面に入力された原稿規定情報を広告規定情報データベース９に書き込む。また、データベース管理会社の装置５は、規定情報申請登録データを広告規定情報データベース９に登録したときに、ディスカッションデータベース７に意見交換のためのスレッド（掲示板）を立てる。
【００２６】
すなわち、データベース管理会社の装置５は、少なくとも掲示板作成部１１と掲示板書込者判定部１０等を有し、掲示板作成部１１は、媒体社の装置１からの規定情報登録申請データが広告規定情報データベース９に書き込みされたとき、ディスカッションデータベース７に掲示板を作成する。この掲示板は、原稿規定情報に基づくサイト名、メニュー名等に対応させている。
【００２７】
また、掲示板書込者判定部１０は、ディスカッションデータベース７の掲示板に対しての書き込み、参照を媒体社、メディアレップに対して許可する。
【００２８】
一方、メディアレップの装置２（以下単にメディアレップ２という）、広告制作会社の装置３（以下単に広告制作会社３という）、広告代理店の装置４（以下単に広告代理店４という）は（本実施の形態ではメディアレップ）、広告（例えばバナー広告）のプログラムを解析し、どのような広告かを知らせる解析・検証ツール２００（後述する）を有する。
【００２９】
この解析・検証ツール２００（以下単に解析ツール２００と称する）は、本システムの入稿の流れの中で担当者によって起動されるのが好ましい。
【００３０】
上記のように構成されたインターネット広告提供システムについて以下に説明する。図２、図３、図４、図５は本実施の形態のインターネット広告提供システムの動作を説明するシーケンス図である。
【００３１】
（媒体社からの広告規定情報の登録）
インターネット広告を掲載する媒体社の装置１（以下単に媒体社という）は、契約を行おうとするメディアレップ２（媒体社の広告スペースの販売を代行する企業体）から、インターネット広告の枠の固定規定情報及び動画の規定情報を入力する先の規定情報入力場所アドレスを取得する（ｄ０）。そして、メディアレップ２か、データベース管理会社の装置５（以下データベース管理会社という）から提供されたＩＤ、パスワードを用いてデータベース管理会社５にログインする。そして、媒体社１は価格設定、メニュー情報設定等の設定画面の提供を受ける。メニュー設定情報は図６に示すように、基本情報Ａ１（サイト名、メニュー名、広告タイプ等）と、価格情報Ａ２等からなり、原稿規定情報の動画規定情報は図７に示す、サイズ、ファイル容量等Ａ３からなる。また、バナー等の動画情報の基本情報Ａ４（サイズ、容量等）からなる。そして、図８に示す画面を開いて、送信ボタンを選択する。このとき、保存先（メディアレップ）を選択する。前述の送信ボタンの選択によって価格設定、原稿設定等からなる規定情報登録申請データを媒体社１がデータベース管理会社５に送信する（ｄ１）。
【００３２】
データベース管理会社５は、メディアレップ２のメールアドレスをデータベースに保存しており、規定情報登録申請データのメディアレップ２にメールで媒体社１から規定情報登録申請があったことを知らせる（ｄ２）。このメールには、データベース管理会社５の広告規定情報データベース９のＵＲＬコードが添付されている。
【００３３】
メディアレップ２の仕入れ担当者はパソコンを操作してＵＲＬコードでデータベース管理会社５の広告規定情報データベース９にアクセスして媒体社１からの広告の原稿規定情報を参照する（ｄ２）。
【００３４】
この広告の規定情報参照の画面については図９（一例）に示している。図９においては、基本情報（原稿情報）、価格情報等の参照画面を示している。
【００３５】
メディアレップ２のオペレータ（仕入れ担当）は、図９の基本情報、原稿規定情報等を確認（取り込み可能がメディア広告かどうかを確認する）して取り込みボタン（図示せず）をクリックしてデータベースに取り込む。そして、パソコンを操作して必要により原稿情報、価格などを変更する。
【００３６】
次に、取り込みデータベースのデータを登録承認情報としてデータベース管理会社５に送信する（ｄ３）。この登録承認情報の送信に当たってメールで媒体社１に登録承認したことを伝えるのが好ましい。
【００３７】
前述の媒体社１からの原稿規定情報をデータベース管理会社５が受信し、データベース管理会社５が広告規定情報データベース９に保存したときは、データベース管理会社５の掲示板作成部１１がディスカッションデータベース７に掲示板を生成（掲示板のスレッドを立てる）する（ｄ４）。
【００３８】
すなわち、掲示板作成部１１は図１０に示す構成によって掲示板を作成している。掲示板作成部１１は図１０に示すように、規定情報抽出部１２と、掲示板提供部１３と、回答作成部１４等に関連付けられた構成を有している。
【００３９】
規定情報抽出部１２は広告規定情報データベース９に新規の原稿規定情報が記憶される毎に、サイト名、メニュー名、メディアレップのアドレス、担当者コード等（媒体社広告識別情報ともいう）を抽出し、これを掲示板作成部１１に渡す。掲示板作成部１１は、抽出された媒体社広告識別情報にリンク付けされている広告規定情報データベース９の原稿規定情報から参照、書き込み許可者のパスワード、ＩＤ、ｅメールアドレス等（媒体社広告識別情報のＩＤと対応させている）をデータベース１５に保存すると共に、ディスカッションデータベース７に媒体社広告識別情報に紐付けした掲示板領域１６を生成する。すなわち、新規の掲示板が生成される。
【００４０】
前述の広告規定情報データベース９には、媒体社からの新規の原稿規定情報が記憶される。また、記憶されたものは登録済み原稿規定情報として保存している。
【００４１】
さらに、ディスカッションデータベース７には、新規の掲示板と、過去に記憶された掲示板（登録済掲示板）が保存されている。
【００４２】
掲示板提供部１３は、掲示板作成部１１が広告規定情報データベース９に新規掲示板を作成したときに、データベース１５から新規掲示板の媒体社広告識別情報に紐付けされている掲示板の情報（原稿規定情報、媒体社広告識別情報、掲示板領域等）をメールに添付して送信する。
【００４３】
回答作成部１４は、掲示板の掲示板領域にコメントが書き込まれて送信されたとき、送信元のＩＤ、パスワード、メールアドレス等をデータベース１５の情報と比較し、一致したときは、回答欄をディスカッションデータベース７に生成して登録する。この回答欄は掲示板の媒体社広告識別情報にリンク付けされて保存される。
【００４４】
一方、媒体社１は、データベース管理会社５からのメールに添付されたの広告規定情報データベース９にアクセスして、登録承認情報を確認することが可能である（ｄ５）。
【００４５】
また、広告制作会社３、広告代理店４は、広告規定情報データベースにアクセスして、登録した原稿規定情報（サイト名、メニューを指定）を参照する（ｄ６）。
【００４６】
さらに、データベース管理会社６の担当者は、パソコンを操作して申請、承認状況を監視することが可能である（ｄ７）。
【００４７】
（意見交換）
また、本実施の形態は、上記の掲示板作成部等によって広告規定情報データベース９に原稿規定情報が登録されると、このメニュー名、メディアレップ名等からなる掲示板情報（スレットが立つ）がディスカッションデータベース７に書き込まれている。
【００４８】
媒体社１は、掲示板を見て欲しいメディアレップ名、サイト名、メニュー名等を指定してディスカッションデータベース７にアクセス（媒体社広告識別情報をキーとする）して希望の掲示板を参照し、この掲示板に質問・意見登録を掲示板に書き込む（ｄ８）。例えば、媒体社１が登録した媒体の原稿規定情報に対して意見を求めるコメント等を書き込む。
【００４９】
データベース管理会社５は、ディスカッションデータベース７の掲示板のメールアドレスを読み込み、このメールアドレス宛に掲示板のＵＲＬを送信する。つまり、掲示板提供部１３がデータベース１５のメールアドレス宛に送信する。
【００５０】
メディアレップ２は、ディスカッションデータベース７にアクセスして、掲示板の質問・意見参照データを画面に開いて担当者に参照させる（ｄ８）。この質問・意見参照データの画面を図１１（ａ）、（ｂ）に示している。図１１（ｂ）に示すように、登録内容についての簡単ない意見等が書き込まれ、図１１（ａ）に示すように、スレッドに対しての投稿者名が書き込まれている。
【００５１】
メディアレップ２の担当者は、質問・意見参照画面を見て確認し、登録ボタンを選択して、これに対しての回答をディスカッションデータベース７に送信して登録させる（ｄ１０、図１２参照）。つまり、図１０に示す回答作成部１４がディスカッションデータベース７に登録させる。この回答登録データには、媒体社１のメールアドレスが書き込まれている。
【００５２】
次に、データベース管理会社５のパソコンは、ディスカッションデータベース７の回答登録データが登録されると、媒体社１にメールで送信し、媒体社１の担当者は、メールに添付されている回答登録のデータベース７にアクセスして参照する（ｄ１１）。つまり、図１０に示す掲示板提供部１３が媒体社１に送信する。
【００５３】
また、図３に示すように、メディアレップ２側から質問・意見登録を行うことが可能である。メディアレップ３は、ディスカッションデータベース７にアクセスして掲示板を見て欲しい媒体社名、メニュー名等を指定して、質問・意見登録を掲示板に書き込む（ｄ１６）。
【００５４】
データベース管理会社５のパソコンは、ディスカッションデータベース７の媒体社のメールアドレス宛で掲示板のデータ（質問・意見参照データ）を媒体社１に送信する（ｄ１７）。媒体社の担当者は、質問・意見参照画面を見て、この回答登録情報をディスカッションデータベース７に送信させる（ｄ１８）。
【００５５】
次に、データベース管理会社５のパソコンは、ディスカッションデータベース７の回答登録があることをメディアレップ２にメールで送信し、メディアレップ２の担当者は、メールに添付されているディスカッションデータベース７にアクセスして参照する（ｄ１９）。つまり、掲示板提供部１３が提供して参照させている。
【００５６】
また、データベース管理会社５の担当者は、パソコンを操作してディスカッションデータベース７にアクセスして、ディスカッションの状況を監視するための画面を提供させている（ｄ２０）。
【００５７】
そして、媒体社１の担当者は、掲示板の回答を参照して、前述の原稿規定情報を変更し、再びデータベース管理会社５の広告規定情報データベース９に登録する。従って、メディアレップ側の意見を元にした広告規定情報を書き込むことができる。
【００５８】
（入稿）
入稿は、図４に示すように、広告制作会社３が広告原稿入稿情報を広告代理店４に送信し（ｄ３０）、広告代理店４が受信して画面に表示し、広告代理店４の担当者が内容を確認し、ＯＫの場合はメディアレップ２にその広告原稿入稿情報を送信し（ｄ３１）、メディアレップ２が受信した広告原稿入稿情報の内容がＯＫの場合に、媒体社１に広告原稿入稿情報を送信する（ｄ３５）。
【００５９】
そして、媒体社１が原稿受領通知をメディアレップ２に送信し（ｄ３６）、メディアレップ２は広告代理店に原稿受領通知を送信する（ｄ３７）。
【００６０】
というのが一連の流れである。
【００６１】
このとき、媒体社１、広告代理店４、広告制作会社３は、広告原稿に対して以下に説明するチェック処理（レギュレーション処理ともいう）を行っている。
【００６２】
図５はレギュレーション処理及び該レギュレーション処理によるシーケンスを説明するシーケンス図である。本実施の形態は、解析ツールはメディアレップ２に存在している場合として説明する。
【００６３】
図５に示すように、広告制作会社３はメディアレップ２からのメールを開いて、入稿のメイン画面の提供を受けて（ｄ２９）、素材等を入力して、広告代理店４に送信し（ｄ３０）、広告代理店４は内容の確認後にメディアレップ２に広告原稿入稿を送信する（ｄ３１）。この広告代理店からのメールの一例を図１２に示す。図１２に示すように、広告原稿入稿には、代理店名、広告主名、サイト・メニュー名、担当者等が含まれている。
【００６４】
次に、メディアレップ２は、代理店名、広告主名、サイト・メニュー名、担当者等の組を広告規定情報呼出情報として広告規定情報データベース９に送信する（ｄ３２）。
【００６５】
広告規定情報データベース９は、代理店名、広告主名、サイト・メニュー名、担当者等に関連付けして原稿規定情報を保存しており、これをメディアレップ２に送信する（ｄ３３）。
【００６６】
すなわち、メディアレップ２のパソコン２１には図１３に示す画面が表示される。図１３に示すように、代理店名、サイト名等の欄と、規定情報（バッジ欄）からなる。
【００６７】
そして、メディアレップの担当者は、受信メールを開いて、図１４に示す画面を表示させる。このとき、添付されているファイル（素材）をイメージファイル欄に表示させるのが好ましい。
【００６８】
次に、レギュレーションチェックをクリックして（ｄ３４）、解析ツール２００を起動させ（Ｓ２０１）、図１５（一例である）の画面を表示させる。すなわち、レギュレーションチェックの選択で解析ツール２００が起動して、入稿されたファイル（バナー）の解析を行う（Ｓ２０６）。
【００６９】
解析ツール２００は、ファイルの固定情報を解読し、この解析結果をパソコンに送信し、図１５の画面（固定情報画面（ａ））を表示させている。
【００７０】
また、解析ツール２００は、動作解析が必要と判定した場合は、パソコン２１にアクション要求を行う（Ｓ２０９ａ）。担当者は、要求に従ってアクションを実行する（Ｓ２０９ｂ）。これによって、解析ツール２００は、動作解析を行い（（Ｓ２０９）、この結果をパソコン２１の画面に表示させる（Ｓ２１０）。図１６にバナーの動作の解析結果（ａ）を示している。図１６に示すように、媒体社の原稿規定情報の欄（ｂ）と動作チェック結果の欄（ａ）とを有し、媒体社の原稿規定情報は、サイズ、容量、バージョン等からなり、動作チェック結果の欄は、バナーのサイズ、容量、・・・音声の有無等がチェック結果として表示される。
【００７１】
次に、解析ツール２００について説明する。
【００７２】
この解析ツール２００が必要な理由を初めに説明する。
【００７３】
ＦＬＡＳＨを利用した広告を採用する媒体社１の増加に伴い下記のような課題が明らかになってきている。
【００７４】
（１）媒体社によって規定の表記が異なり、チェックする担当者の解釈によってチェック内容が変わる。
【００７５】
（２）規定のチェックは、ＦＬＡＳＨのオーサリングツールを使用してＦＬＡファイルでチェックを行っているが、担当者のスキルによってチェックする内容のレベル・要する時間・精度が異なる。
【００７６】
（３）また、ＦＬＡＳＨにおける表現の実装方法の多様化により、担当者によるチェック作業が複雑化し、チェックに要する時間も多くなる傾向にある。
【００７７】
（４）また、実際に広告配信するファイル（ｓｗｆファイル）と規定のチェックに使用されるＦＬＡファイルは実体が異なる（配信されるｓｗｆファイルがチェックを行うＦＬＡファイルから書き出されたという保証はない）。
【００７８】
（５）さらに、リッチメディア化に伴い、ｆｌａファイルのサイズが大きくなる傾向にあり、今後メール添付でのファイルのやりとりに限界がある。
【００７９】
（６）新しいＦＬＡＳＨのバージョンがリリースされるたびに、新しいオーサリングツールを購入・再インストールしなければならない。
【００８０】
つまり、共通チェック項目の提供による作業内容・精度の一定化、チェック作業の半自動化による作業の効率化が行えるようにするのが望ましい。このため、以下の点を可能とするツールが必要となる。
【００８１】
・規定で定められている項目を可能な限り自動的かつ正確に判定できること
・ＳＷＦファイルのみの検査でレギュレーションチェックが行えること
・インターネット広告（例えばバナー広告）のチェックのレスポンス時間が現実的な範囲
に収まっていること
・ツールで評価指標になるレギュレーションデータが標準化されること
・ＦＬＡＳＨのバージョンアップに追従できるメンテナンス性を持つこと
・ツールのクライアントへの配布・展開が容易な構成であること。
【００８２】
図１７は本実施の形態の解析ツール２００の構成及び装置の各プログラムとのやりとりを説明する概略説明図である。解析ツール２００はｓｗｆファイルの内容を解析する「フォーマット解析」と、ＦＬＡＳＨムービを実際に再生して評価する「ムービ」の２つのパーツで構成される。また、ツールはシステム側にあるインターフェースを介してデータの送受を行う。
【００８３】
担当者は、レギュレーション画面においてチェック開始ボタンをクリックする。このクリックによって解析ツールラッパーが起動し、この解析ツールラッパーがインストールされている解析ツールを起動する（ｄ４０）。
【００８４】
解析ツール２００の起動に当たっては、レギュレーション画面から解析ツールラッパーがセッション、ユーザＩＤ、進行番号からなるチェック開始情報を解析ツール２００に送信する（ｄ４１）。つまり、解析ツールがチェック開始情報を取得する。
【００８５】
解析ツール２００は、チェック開始情報を元に、クリエイティブのダンプ（テキストデータ・ＸＭＬ形式）を装置側に要求（解析済みデータ）する（ｄ４２）。
【００８６】
一方、装置側のｓｗｉｆｆモジュールは、解析済みデータの要求によって、セッションデータの認証チェックを行い、ｓｗｉｆｆファイルを取得して、このデータを解析し（ｄ４３）、この解析済データ検出結果（ダンプデータ：ＸＭＬ）を解析ツール２００に出力する（ｄ４４）。
【００８７】
解析ツール２００は解析済データ検出結果をパースする（ｄ４５）。
【００８８】
そして、解析ツール２００は、規定データの要求（メニュー名、サイト名、）をシステム側に要求する（ｄ４６）。システム側は、規定データの要求を受信し、この規定データに該当する規定データを読み出して、解析ツール２００に渡す（ｄ４７）。
【００８９】
解析ツール２００は、規定検査ロジックを元にレギュレーションデータと比較するべきデータをＸＭＬのパースデータから抽出する（ｄ４８）。次に、システム側の規定データと抽出したパースデータとを比較し、この比較結果を画面に表示させる（ｄ４９）。
【００９０】
そして、解析ツール２００は、比較結果を元に実際にｓｗｉｆｆを再生しながら、ループ検出やマウスイベントによる動作を検出する（ｄ５０）。
【００９１】
次に、規定データと比較し、検出結果を表示する（ｄ５１）と共に、装置側に送信する（ｄ５２）。メディアレップのパソコン２１では、この結果データを受信して画面に表示する（ｄ５３）。
【００９２】
すなわち、図１９に示すように、メディアレップのパソコン２１からは媒体社規定情報ＰｉとＳｗｉｆｆファイルＱｉとを解析ツール２００に渡し、解析ツール２００のフォーマット解析理部Ｋｉがファイルから読みとれるタグをばらして（図１８を参照）解析する。そして、ムービー解析部Ｈｉが実際にＳｗｉｆｆファイルＱｉを実際に再生させながら解析する。動画解析においては、再生時間、サウンドの有無、等が解析される。この解析結果Ｒｉが装置側に送信されて表示（メディアレップの担当者のパソコン２１画面）される。つまり、担当者に対してバナー広告が動く広告、音がでる等を自動的に知らせている。
【００９３】
さらに、解析ツール２００の構成および作用について、図２０から図３６を用いて詳細に説明する。
【００９４】
図１では、一例としてメディアレップの装置２のサーバ２０に解析ツール２００が実装され、データベース管理会社の装置５に広告規定情報データベース９が実装されている。しかし、通信ネットワーク６を介して情報の送受信ができるようになっていれば、実装先は特に規制されない。つまり、どこからでも解析ツール２００を利用できる。ここでは、図１に示した構成に従って、メディアレップのパソコン２１から解析を行うものとして説明するが、前述したように通信ネットワーク６内のいずれの装置からも可能である。
【００９５】
メデアレップの装置２は、
（イ） 電子広告の入稿原稿を解析するために、図１に示すように、メディアレップのパソコン２１より解析ツール２００の起動を行う。この起動情報はパソコン２１の画面に表示された解析ツールアイコンを選択すると、パソコン２１のレギュレーションチェック受付部１００で受け付けされ（図３のＳ１００）、Ａｃｔｉｖｅ  Ｘ（登録商標）１０１を介して、データデータ通信制御部１０によって解析ツール２００に送信され、処理が開始される（起動受信：図２０、図２２のＳ２０１）。
【００９６】
（ロ）解析ツール２００は、起動情報（プログラム名、起動パラメータ、保存先等）で指定された入稿原稿（原稿名、作成日、広告原稿を保存しているサーバアドレス（データベース管理会社）、バージョン、原稿データ等）の送信を保存先（データベース管理会社）に要求する（広告原稿要求：図２０、図２２のＳ２０２）。
【００９７】
（ハ）広告原稿展開部１０２では、広告原稿要求（原稿名、バージョン、・・）を受信し（図２１のＳ１０２ａ）、ＳＷＦファイルとして蓄積されている入稿原稿を配信広告原稿データベース１０５から読み出し（図２１のＳ１０２ｂ）、ＸＭＬファイルに展開して展開広告原稿データベース１０６ａに格納する（図２１のＳ１０２ｃ）。
【００９８】
（二）つづいて、図２０に示す展開広告原稿送信部１０３は、ＸＭＬ形式の展開広告原稿を解析ツール２００に送信する（図２１のＳ１０３）。
【００９９】
（ホ）解析ツール２００は、受信したＸＭＬ形式の展開広告原稿を展開広告原稿副データベース１０６ｂに格納する（展開広告原稿受信：図２０、図２２のＳ２０３）。
【０１００】
（ヘ）次に解析ツール２００は、起動情報で指定された規定情報の送信を、保存先に要求する（規定情報要求：図２１のＳ２０４）。
【０１０１】
（ト）規定情報送信部１０４は、規定情報要求（規定情報ファイル名、作成日、バージョン・・・）を受信し（図２１のＳ１０４ａ）、固定面規定情報データベース１０７ａと動作面規定情報データベース１０８ａから、それぞれに格納されている固定面規定情報と動作面規定情報を読み出し（図２１のＳ１０４ｂ）、解析ツール２００に送信する。
【０１０２】
ここで固定面規定情報とは、広告枠のサイズ・ファイル容量・掲載期間・表示位置・音の有無等を規定した情報である。
【０１０３】
また、動作面規定情報とは、動画の再生条件、マウスを操作したときの変化の条件、そしてクリックしたときの画面の動き等を規定した情報である。
【０１０４】
（チ）解析ツール２００は、受信した固定面規定情報と動作面規定情報とを（総称して単に規定情報と称する）、記憶する。固定面規定情報は、固定面規定情報副データベース１０７ｂに格納し、動作面規定情報は、動作面規定情報副データベース１０８ｂに格納する（規定情報受信：図２０、図２２のＳ２０５）。
【０１０５】
（リ）すべての必要なデータ（起動情報、展開広告原稿、規定情報）を受信した解析ツール２００は、素材の解析を開始する（素材解析：図２０、図２２のＳ２０６）。
【０１０６】
（素材解析処理）
（ｉ）規定検査ロジック１０９（何をチェックするかの項目：固定面規定情報の規定検査ロジックの場合は、例えば広告サイズを比較する等の項目、動作面規定情報の規定検査ロジックの場合は、動きがあるかの項目）を読み出す（図２２のＳ２０６ａ）：
（ｉｉ）それに従って展開広告原稿副データベース１０６ｂに格納されたＸＭＬ形式の展開広告原稿と、固定面規定情報副データベース１０７ｂに格納された固定面規定情報を比較解析する（図２２のＳ２０６ｂ）。そして、
（ｉｉｉ）素材解析結果をメモリーに記憶する（図２２のＳ２０６ｃ）。
【０１０７】
ここまでが素材解析の処理である。
【０１０８】
（ヌ）ここで広告原稿の中に動的イベント（例えば音を出させる命令、動きの命令・・）があるか否かを判断し（図２２のＳ２０７）、動的イベントがない場合にはメモリーに記憶しておいた解析結果を解析ツール２００の起動元（メディアレップのパソコン２１）に送信する（図２２のＳ２０８）。
【０１０９】
（動作解析処理）
（ル）一方、動的イベントがある場合は、広告自体の動作の解析を開始する（動作解析：図２０、図２２のＳ２０９）。
【０１１０】
（ｉ）解析ツール２００はユーザ３００に対して実際にアクションを実施するように要求（例えば画面の広告をクリックするようメッセージ表示）する（図２０、図２２のＳ２０９ａ）：
（ｉｉ）その指示に従ってユーザ３００は指定のアクションを実行し、解析ツール２００はそのアクションを受信する（図２０、図２２のＳ２０９ｂ）：
（ｉｉｉ）解析ツール２００は、ユーザ３００のアクションによって、実際に広告の動作を実行し、規定検査ロジック１０９に従って動作面規定情報と比較解析する（図２２のＳ２０９ｃ）：
（ｉｖ）ユーザ３００に対して、アクションによって広告が動作した結果を出力（作成者名、媒体社名、５秒間動いている・・）する（図２０、図２２のＳ２０９ｄ）：
（ｖ）また、動作解析を行った結果をメモリーに記憶する（図２２のＳ２０９ｅ）。
【０１１１】
（ヲ）メモリーに記憶しておいた解析結果を解析ツール２００の起動元（メディアレップのパソコン２１）に送信する（図２０、図２２のＳ２１０）。
【０１１２】
（ワ）レギュレーションチェック結果表示部１１０は、解析結果を受信し（図２１のＳ１１０ａ）、画面に解析結果を表示する（図２１のＳ１１０ｂ）。
【０１１３】
（素材解析及び動作解析）
ここで、素材解析及び動作解析について説明を補充する。
【０１１４】
図２３に示すように、素材解析（Ｓ２０６）は、主にタグの解析（Ｓ２０６１）を行うものであり、例として下記の検査項目が挙げられる。
【０１１５】
・ファイルバージョン：バージョン番号を検査する：
・圧縮方式：圧縮されているか否かを検査する：
・ファイル容量：ファイルの容量を検査する：
・ステージサイズ：ステージサイズ（可視部分の画角）を検査する：
・総フレーム数：含まれるフレーム数を検査する：
・フレームレート：再生時の１秒当たりの表示フレーム数を検査する：
・再生ビットレート：再生時の１秒当たりのデータ容量を検査する：
・フレーム容量：１フレーム当たりの容量を検査する：
・テキスト：テキストオブジェクトの有無とフォントを検出する：
・アクションスクリプト：使用禁止とされているメソッドを検出する：
・背景：背景として扱われているオブジェクトの色を検査する：
・ボタン＆ムービクリップ：動作解析を行う際に必要なデータを検出する：
・サウンド：動作解析を実行すべきか、サウンドオブジェクトの有無を検査する。
【０１１６】
一方、動作解析(図２３のＳ２０９)は、素材解析（図２３のＳ２０６）によって得られたデータから検査対象となる要素を抽出し、再生解析（図２３のＳ２０９１）、マウスイベント解析（図２３のＳ２０９２）及びクリック解析（図２３のＳ２０９３）について規定情報の通りに動作するかを半自動的に行うものであり、各解析内容は下記の通りである。
【０１１７】
・再生解析（Ｓ２０９１）：再生秒数、デフォルト音声の有無、ループの有無、ＣＰＵ
占有率を検査する：
・マウスイベント解析（Ｓ２０９２）：実際にマウスイベントを起こし、正常に動作す
るか検査する：
・クリック解析（Ｓ２０９３）：実際にクリックイベントを起こし、正常に動作するか
検査する。
【０１１８】
解析ツール２００の動作中の画面表示の一例を図２４から図３０に示す。図中のフォーマット解析が素材解析（Ｓ２０６）に相当し、ムービー解析が再生解析（Ｓ２０９１）に相当する。
【０１１９】
本発明の電子広告解析システムでは、下記の条件を満たすものとなっている：
・規定で定められている項目を可能な限り自動的かつ正確に判定できること：
・ＳＷＦファイルのみの検査でレギュレーションチェックが行えること：
・電子広告（例えばバナー広告）のチェックのレスポンス時間が現実的な範囲に収まっていること：
・ツールで評価指標になるレギュレーションデータが標準化されること：
・ＦＬＡＳＨのバージョンアップに追従できるメンテナンス性を持つこと：
・ツールのクライアントへの配布・展開が容易な構成であること。
【０１２０】
次に、図３１は本実施の形態の解析ツールのシステム構成を説明する説明図である。この図３１は解析ツールとしての構成を示す一実施例である。
【０１２１】
図３１に示すように、解析ツール２００は、データベース制御部４００とブラウザ部５００との間に存在し、データ通信制御部１０のデータを読み込み又はデータ通信制御部１０に出力する。
【０１２２】
そして、ブラウザ部５００は、動画表示（音再生、動画再生等）を有している。また、ブラウザ部５００の上には、展開原稿ファイル等が位置する。
【０１２３】
図３２は解析ツール２００の詳細構成図である。この解析ツール２００は、ＴＣＰ／ＩＰプロトコルでデータの送受をデータ通信制御部１０によって得る。
【０１２４】
また、解析ツール２００のプログラムは、解析ツール起動準備部２１０と、広告素材解析起動判定部２１１と、素材解析部２１２（大まかに解析：どんな広告か）と、動作解析部２１３と、マウスイベント解析部２１５と、クリック解析部２１６と、アクション解析起動判定部２１４と、解析結果作成・出力部２１７等から構成されている。
【０１２５】
ここでは、広告原稿や規定情報等は全てデータベース管理会社５に保存しているものとして説明するが、これらはネットワークに接続されているサーバであればどこであっても構わない。
【０１２６】
解析ツール起動準備部２１０は、データ通信制御部１０を監視し、パソコンからの起動受信を受信した後に、データベース管理会社５に広告原稿要求を行って、展開広告原稿（製作会社３から広告代理店４を介してデータベース管理会社５に保存された広告原稿をＸＭＬファイルに変換した広告原稿）を受信する。そして、データベース管理会社５に規定情報要求を行って規定情報（データベース管理会社５から受信した規定情報）を受信した後で、素材解析を行わせるための各種フラグを設定する。
【０１２７】
より具体的には、解析ツール起動準備部２１０は、データ通信制御部１０から起動情報が受信されたかどうかを判定する。この起動情報は、メディアレップの装置２からの解析ツール２００を起動させるための情報であり、例えば図３３（ａ）に示すようにプログラム名、起動パラメータ、保存先等からなる。
【０１２８】
そして、解析ツール起動準備部２１０は、起動情報が記憶されていると判定したときは、解析ツール２００に接続されている受信結果用メモリ３１１に起動受信フラグｆ１を設定すると共に、広告要求をデータ通信制御部１０に出力して広告原稿保存先に送出させる一方、解析ツール２００に接続される送信結果用メモリ３１２に広告原稿要求フラグｆ２を設定する。前述の広告要求は、図３３（ｂ）に示すように、例えば原稿名、バージョンＮＯ、送信先のサーバアドレス（データベース管理会社５）等からなる。
【０１２９】
また、解析ツール起動準備部２１０は、起動受信フラグｆ１と広告原稿要求フラグｆ２とが設定されたときは、データ通信制御部１０が展開広告原稿を受信したかどうかを判定する。展開広告原稿（ＸＭＬ形式の広告原稿）が受信されたときは、データベース部３１０（展開広告原稿副データベース１０６ｂ、固定情報副データベース１０７ｂ、動作面規定情報副データベース１０８ｂ、規定検査ロジック用データベース１０９）の展開広告原稿副データベース１０６ｂに保存すると共に、展開広告原稿受信フラグｆ３を受信結果用メモリ３１１に設定する。
【０１３０】
また、解析ツール起動準備部２１０は、起動受信フラグｆ１、広告原稿要求フラグｆ２、展開広告原稿受信フラグｆ３が設定されると、規定情報要求（固定面、動作面）を送信バッファ（図示せず）に記憶してデータ通信部１０によりデータベース管理会社５に出力させると共に、規定情報要求フラグｆ４（固定面はｆ４１、動作面はｆ４２：総称してｆ４）を送信結果用メモリ３１２に設定する。
【０１３１】
そして、規定情報（固定面、動作面）が受信バッファ（図示せず）に記憶されたときは、この規定情報をデータベース部３１０の固定情報規定副データベース１０７ｂ、動作面規定情報副データベース１０８ｂに記憶すると共に、受信結果用メモリ３１１に規定情報受信フラグｆ５を設定する。
【０１３２】
前述の入稿原稿は、図３３（ｃ）に示すように、原稿名、作成日、保存サーバのアドレス（データベース管理会社５）、バージョンＮＯ、原稿データ（広告あり）等からなる。また、規定情報要求のデータは図３３（ｄ）に示すように、規定情報ファイル名、作成日、バージョンＮＯ等からなり、固定面規定情報は、図３３（ｅ）に示すように、広告のサイズ、ファイル容量、掲載期間、表示位置、音の有無等からなり、動作面規定情報は、図３３（ｆ）に示すように、動画の再生条件、マウスを操作したときの変化の条件、クリックしたときの画面の動きなどの規定からなる。
【０１３３】
また、再生条件は図３４に示すように、再生秒数、音声の有無、ループの有無、飛び出しの有無、ＣＰＵ占有率等からなる。
【０１３４】
さらに、規定検査ロジックの項目は、図３５に示すように、広告のファイルバージョン、圧縮方式、ファイル容量、ステージサイズ、総フレーム数、フレームレート、再生ビットレート、再生ビットレート、フレーム容量、テキスト、アクションスクリプト、背景、ボタン＆ムービクリック、サウンド等からなる。
【０１３５】
また、図３２に示す広告素材解析起動判定部２１１は、受信結果用メモリ３１１と送信結果用メモリ３１２の状況を監視し、起動受信フラグｆ１、広告原稿要求フラグｆ２、展開広告原稿受信フラグｆ３、規定情報要求フラグｆ４、規定情報受信フラグｆ５が設定されているかどうかを監視し、これら全てが設定されているときは、素材解析部２１２（タグ解析部ともいう）を起動させる。この起動に伴って図２４に示すフォーマット解析画面をブラウザ部５００が表示させる。
【０１３６】
素材解析部２１２は、起動に伴って展開広告原稿を展開広告原稿副データベース１０６ｂから読み込み、広告原稿の記述スクリプト内のタグを抽出する。例えば、ファイルバージョン、ファイル容量、・・・サウンドなどのタグを抽出し（図１８を参照）、規定検査ロジック１０９の検査ロジック項目に関するタグ情報と比較解析する。例えば、図３５の規定検査ロジック項目のファイルバージョン、圧縮方式、ファイル容量、フレームレート、再生ビットレート等を取得する。
【０１３７】
そして、規定情報を読み込み、この規定情報と取得した検査ロジック項目に基づくタグに対応させた結果を素材解析結果として素材解析結果用メモリ３１３に、図３６に示すテーブルにして保存する。この保存に伴って解析結果・出力部２１７は、素材解析結果用メモリ３１３の素材解析結果を読み込み、図２５に示すようにフォーマット解析結果を表示させる。
【０１３８】
このとき、素材解析部２１２は、展開広告原稿の広告を図２５に示すように、表示部によって拡大表示させる。これによって、オペレータはどの広告の素材解析結果かが容易に分かる。
【０１３９】
また、動作解析部２１３は、素材解析結果用メモリ３１３に素材解析結果が記憶されると、素材解析結果用メモリ３１３から、動作解析の要素（抽出された動作情報となるタグ）を規定検査ロジックに基づいて抽出する（例えば、ボタン＆ムービクリック、サウンド、再生時間、再生停止秒数等）。このとき、動作解析部２１３は、図２７のムービ解析画面をブラウザ部５００が表示させる。
【０１４０】
この規定検査ロジック項目は、たとえば図２６に示すような項目であり、本実施の形態では、動作解析部２１３は、画面にこの規定検査ロジック項目を表示する。そして、例えば「再生停止秒数」のボタンが選択されると、動作面規定情報の再生停止秒を読み込むと共にタイマー（図示せず）に再生停止秒（例えば１５秒）を設定して起動させる。そして再生指示部（図示せず）を起動させて、展開広告原稿の広告を再生部（図示せず）で再生させる。
【０１４１】
そして、タイマーが１５秒を計数しても、展開広告原稿の広告に動きがある場合（再生が続けられている）は、その結果を対応させて動画解析結果用メモリ３１４に記憶する。例えば、規定情報が「再生後、１５秒以内停止」の場合は「１５秒以内に停止しなかったことを示すフラグを対応させたテーブルを作成する。
【０１４２】
この結果を解析結果作成・出力部２１７が読み込んで、例えば図２８に示すようにして画面に表示させる。
【０１４３】
また、動作解析部２１３は、図２９に示すように、ムービー解析の終了ボタンが押されると、動作解析の解析結果を全て表示させる。つまり、解析結果作成・出力部２１７にムービー解析終了を知らせ、解析結果作成・出力部２１７が動作解析結果用メモリ３１４に保存されている全ての動作解析結果を読み出して画面に図３０に示すムービ解析結果の画面を表示させる。
【０１４４】
一方、マウスイベント解析部２１５は、素材解析結果を読み、カーソルを広告上においたときは、動きがあるとする解析結果が存在するかどうかを判断する。また、アクション解析起動判定部２１４からマウスが広告上に位置したことが知らせられると、再生部を起動させて実際に広告が動くかどうかを判定する。動いたときは、マウスイベント解析結果用メモリ３１５にマウスイベントによって広告が動くことを書き込む。
【０１４５】
クリック解析部２１６は、素材解析結果を読み、広告上にカーソルをおいてマウスのクリックで動作するとする解析結果が存在するかどうかを判断する。また、アクション解析起動判定部２１４からカーソルが広告上に位置され、マウスがクリックされたことが知らせられると、再生部を起動させて実際に広告が動くかどうかを判定する。動いたときは、クリック解析結果用メモリ３１６にクリックによって広告が動くことを書き込む。
【０１４６】
アクション解析起動判定部２１４は、マウスイベント解析部２１５が素材解析結果に、カーソルを広告上においたときに動作することが存在すると判定している場合は、ブラウザ部５００によって広告上にマウスを操作してカーソルを広告上に置くようにメッセージ表示させ、また、マウスの操作によって広告上にカーソルが位置されたことをマウスイベント解析部２１５に知らせる。さらに、クリック解析部２１６が素材解析結果に、カーソルを広告に位置させてマウスをクリックすると動作することが存在すると判定している場合は、表示部にオペレータに広告上にマウスを操作してカーソルを広告上に置いてクリックするようにメッセージ表示させる。また、マウスがクリックされたときに、クリック解析部２１６にマウスがクリックされたことを知らせる。
【０１４７】
したがって、解析ツール２００は、バナー広告がどんな動きをするものかを解析し、この解析結果を知らせる。
【０１４８】
すなわち、本実施の形態のインターネット広告提供システムは、
（１）インターネット広告を掲載するＷｅｂページを管理・運営する媒体社が広告の固定的情報だけではなく、動作、振る舞いを含めた原稿規定情報をデータベース管理会社５の広告規定情報データベース９に登録することで、インターネット上で登録・管理できるデータベースを提供する。
【０１４９】
つまり、媒体社１は、上記広告規定情報データベース９に原稿規定情報を登録し、広告スペース一括販売を行うメディアレップに申請する。
【０１５０】
次に、メディアレップは、広告原稿を作成する広告制作会社３が問題なく制作業務が出来るよう、また広告提供企業に対し広告企画・販売を行う広告代理店４が該当広告の固定的情報および動作情報を正しく伝えることが出来るよう、媒体社１が登録申請した原稿規定情報を広告規定情報データベース９にアクセスして確認し、承認する。
【０１５１】
このデータベース９に登録された情報は、広告代理店４、広告制作会社３、メディアレップ２に公開される。
【０１５２】
（２）また、制作された広告が規定どおりであるかどうかを確認するために、
１）データベース９の登録情報を引き出す：
２）制作された原稿を電子的に解析し、固定情報のみならず、動作や振る舞いに関する情報を取得する：
３）データベース９の情報と固定情報と動作や振る舞いに関する情報と突き合わせを行う解析・検証ツールに渡して解析させる。
【０１５３】
（３）また、確認済みの原稿が広告取引を行う企業間で安全に受け渡しされるよう、インターネット上で利用できる原稿入稿フローを提供する。
【０１５４】
このとき、広告制作会社３は製作した原稿を「解析・検証ツール」を利用してチェックし、問題がなければ広告代理店に入稿する。
【０１５５】
広告代理店４は、広告制作会社３から受け取った広告原稿をメディアレップ２に入稿する。
【０１５６】
次に、メディアレップ２は広告代理店４から受け取った広告原稿を媒体社１に入稿する。
【０１５７】
一方、媒体社は受領した広告原稿に問題がなければ、メディアレップ２に受領回答を行い、メディアレップ２は広告代理店４に受領回答を行う。
【０１５８】
（４）また、広告原稿規定情報について、媒体社１とメディアレップ２の間で正確な意思疎通ができるようインターネット上でディスカッションできる仕組みを提供している。
【０１５９】
媒体社１及びメディアレップ２は質問および意見をディスカッションデータベース７に登録し、相手先に伝達する。
【０１６０】
媒体社１及びメディアレップ２は質問及び意見に対する回答をディスカッションデータベース９に登録し、相手先に伝達する。
【０１６１】
上記（１）〜（４）の仕組みを広告取引に直接関わらない第三者機関（データベース管理会社）にて運用・管理することにより、広告を掲載する媒体社１と広告を提供する企業が安心して利用できる仕組みとしている。
【産業上の利用可能性】
【０１６２】
本発明は、広告代理店、制作会社、媒体社、メディアレップが例えばバナー広告等がどのような動きをしているかがわかるので、ｗｅｂサイトでのインターネット広告の検証に適用できる。
【図面の簡単な説明】
【０１６３】
【図１】本実施の形態のインターネット広告提供システムの概略構成図である。
【図２】本実施の形態の動作を説明するシーケンス図である。
【図３】本実施の形態の動作を説明するシーケンス図である。
【図４】本実施の形態の動作を説明するシーケンス図である。
【図５】本実施の形態の動作を説明するシーケンス図である。
【図６】媒体社からの規定情報登録申請の画面例の説明図である。
【図７】動画規定情報の画面例での説明図である。
【図８】規定情報登録申請の保存先指定の画面例の説明図である。
【図９】規定情報参照の画面例の説明図である。
【図１０】掲示板作成部に関連する構成図である。
【図１１】意見交換の画面例の説明図である。
【図１２】質問意見参照画面の送信画面を説明する説明図である。
【図１３】入稿メイン画面の説明図である。
【図１４】素材登録画面の説明図である。
【図１５】ファイルの入稿画面の一例の説明図である。
【図１６】レギュレーションチェック画面の一例の説明図である。
【図１７】解析ツールのプログラム構成及びシーケンスを説明する説明図である。
【図１８】タグの抽出を説明する説明図である。
【図１９】解析ツールによる動作の概念を説明する説明図である。
【図２０】本実施の形態の電子広告解析システムの詳細構成図である。
【図２１】本実施の形態の動作を説明する装置側のシーケンス図である。
【図２２】本実施の形態の動作を説明する解析ツールのシーケンス図である。
【図２３】本実施の形態の解析内容の詳細説明図である。
【図２４】解析ツールの素材解析中の画面表示の一例の説明図である。
【図２５】解析ツールの素材解析結果の画面表示の一例の説明図である。
【図２６】解析ツールの再生解析開始の画面表示の一例の説明図である。
【図２７】解析ツールの再生解析中の画面表示の一例の説明図である。
【図２８】解析ツールの再生解析結果の画面表示の一例の説明図である。
【図２９】解析ツールの再生解析終了の画面表示の一例の説明図である。
【図３０】解析ツールの再生解析全結果の画面表示の一例の説明図である。
【図３１】本実施の形態５の解析ツールのシステム構成図である。
【図３２】解析ツール２００の詳細構成図である。
【図３３】情報のデータ構成を示す図である。
【図３４】再生条件の一覧表である。
【図３５】規定検査ロジック項目の一覧表である。
【図３６】素材解析結果テーブルを示す図である。
【符号の説明】
【０１６４】
１（１ａ，１ｎ）  媒体社の装置
２  メディアレップの装置
３  広告制作会社の装置
４  広告代理店の装置
５  データベース管理会社の装置
９  広告規定情報データベース
７  ディスカッションデータベース
１０  掲示板書込者判定部
２０  メディアレップのサーバ
２１  メディアレップのパソコン
１００  レギュレーションチェック受付部
１０１  Ａｃｔｉｖｅ  Ｘ
１０２  広告原稿展開部
１０３  展開広告原稿送信部
１０４  規定情報送信部
１０５  配信広告原稿データベース
１０６ａ  展開広告原稿データベース
１０６ｂ  展開広告原稿副データベース
１０７ａ  固定面規定情報データベース
１０７ｂ  固定面規定情報副データベース
１０８ａ  動作面規定情報データベース
１０８ｂ  動作面規定情報副データベース
１０９  規定検査ロジック
１１０  レギュレーションチェック結果表示部
２００  解析ツール
２１０  解析ツール起動準備部
２１１  広告素材解析起動判定部
２１２  素材解析部
２１３  動作解析部
２１４  アクション解析起動判定部
２１５  マウスイベント解析部
２１６  クリック解析部
２１７  解析結果作成出力部
３００  ユーザ
３１１  受信結果用メモリ
３１２  送信結果用メモリ
３１３  素材解析結果
３１４  動作解析結果
３１５  マウスイベント解析結果
３１６  クリック解析結果
３１７  解析結果
４００  データベース制御部
５００  ブラウザ部
【図１】
2007149086.tif 000003
【図２】
2007149086.tif 000004
【図３】
2007149086.tif 000005
【図４】
2007149086.tif 000006
【図５】
2007149086.tif 000007
【図６】
2007149086.tif 000008
【図７】
2007149086.tif 000009
【図８】
2007149086.tif 000010
【図９】
2007149086.tif 000011
【図１０】
2007149086.tif 000012
【図１１】
2007149086.tif 000013
【図１２】
2007149086.tif 000014
【図１３】
2007149086.tif 000015
【図１４】
2007149086.tif 000016
【図１５】
2007149086.tif 000017
【図１６】
2007149086.tif 000018
【図１７】
2007149086.tif 000019
【図１８】
2007149086.tif 000020
【図１９】
2007149086.tif 000021
【図２０】
2007149086.tif 000022
【図２１】
2007149086.tif 000023
【図２２】
2007149086.tif 000024
【図２３】
2007149086.tif 000025
【図２４】
2007149086.tif 000026
【図２５】
2007149086.tif 000027
【図２６】
2007149086.tif 000028
【図２７】
2007149086.tif 000029
【図２８】
2007149086.tif 000030
【図２９】
2007149086.tif 000031
【図３０】
2007149086.tif 000032
【図３１】
2007149086.tif 000033
【図３２】
2007149086.tif 000034
【図３３】
2007149086.tif 000035
【図３４】
2007149086.tif 000036
【図３５】
2007149086.tif 000037
【図３６】
2007149086.tif 000038